(57)【特許請求の範囲】
【請求項１】
電話局と通信する通信回線とアンテナ装置とに接続され、前記アンテナ装置を介して民生用情報処理装置用の電波を受信して処理する第１の機能部と、前記アンテナ装置および通信回線を介して携帯電話の基地局としての処理を行う第２の機能部とを備えたことを特徴とする複合装置。
【請求項２】
前記民生用情報処理装置が、デジタルテレビ受像装置またはデジタルテレビ対応画像処理装置である、請求項１記載の複合装置。
【請求項３】
前記アンテナ装置は、デジタルテレビの電波をデジタルテレビのアナログ信号に変換し、携帯電話の電波を携帯電話のアナログ信号に変換し、かつ携帯電話のアナログ信号を携帯電話の電波に変換するものであり、
前記アンテナ装置から前記デジタルテレビのアナログ信号を入力し、デジタルテレビのデジタルデータに変換するデジタルテレビ対応アナログ信号処理部と、
前記アンテナ装置が変換した携帯電話のアナログ信号を携帯電話のデジタルデータに変換し、かつ携帯電話のデジタルデータを携帯電話のアナログ信号に変換する携帯電話基地局対応アナログ信号処理部と、
読み込んだプログラムに従ってデジタルデータを処理するデジタルデータ処理部と、
前記デジタルテレビ対応アナログ信号処理部が変換したデジタルテレビのデジタルデータを画像データおよび音声データに変換するプログラムを格納するデジタルテレビ対応プログラム記憶部と、
前記携帯電話基地局対応アナログ信号処理部が変換した携帯電話のデジタル信号を携帯電話の通信情報に変換して前記通信回線へ出力し、かつ前記通信回線から入力した携帯電話の通信情報を携帯電話のデジタルデータに変換して前記携帯電話基地局対応アナログ信号処理部へ出力するプログラムを格納する携帯電話対応プログラム記憶部と、
前記デジタルテレビ対応プログラム記憶部に格納されたプログラム、および携帯電話対応プログラム記憶部に格納されたプログラムのうち、前記デジタルデータ処理部が読み込むべきプログラムを選択する選択部とを備えた、請求項２記載の複合装置。
【請求項４】
前記選択部は、前記携帯電話基地局対応アナログ信号処理部の出力が有効な値になった場合に、前記携帯電話対応プログラム記憶部に格納されたプログラムを前記データ処理部が読み込むべきプログラムとして選択する、請求項３記載の複合装置。
【請求項５】
前記デジタルデータ処理部は、前記デジタルテレビ対応プログラム記憶部に格納されたプログラムと、前記携帯電話対応プログラム記憶部に格納されたプログラムとを並列に実行可能である、請求項３記載の複合装置。
【請求項６】
前記選択部は、前記携帯電話基地局対応アナログ信号処理部から携帯電話のデジタルデータが前記デジタルデータ処理部へ出力された場合、前記通信回線が携帯電話以外の通信機器によって使用されていない場合にのみ、前記携帯電話対応プログラム記憶部に格納されたプログラムを前記デジタルデータ処理部が読み込むべきプログラムとして選択する、請求項３記載の複合装置。
【請求項７】
前記選択部は、前記携帯電話基地局対応アナログ信号処理部から携帯電話のデジタルデータが前記デジタルデータ処理部へ出力された場合、前記デジタルデータ処理部が前記デジタルテレビ対応プログラム記憶部に格納されたプログラムを実行していない場合にのみ、前記携帯電話対応プログラム記憶部に格納されたプログラムを前記デジタルデータ処理部が読み込むべきプログラムとして選択する、請求項３記載の複合装置。
【請求項８】
前記デジタルデータ処理部が前記携帯電話対応プログラム記憶部に格納されたプログラムを実行しているときに、前記デジタルテレビ対応プログラム記憶部に格納されたプログラムを実行するよう要求する入力があった場合、前記電話局へ基地局振替要求を出力する振替要求処理部を備えた、請求項３〜７のいずれか一項に記載の複合装置。
【請求項９】
前記デジタルデータ処理部が前記携帯電話対応プログラム記憶部に格納されたプログラムを実行しているときに、当該複合装置の設置場所にある通信機器であって前記通信回線に接続されているものに対して使用要求があった場合、前記電話局へ基地局振替要求を出力する振替要求処理部を備えた、請求項３〜８のいずれか一項に記載の複合装置。
【請求項１０】
携帯電話の通信記録を記憶する通信記録部を備え、記憶した通信記録を前記通信回線へ送出する、請求項１〜９のいずれか一項に記載の複合装置。
【請求項１１】
請求項１０に記載の複合装置に通信回線を介して接続される電話局装置であって、前記複合装置から送信される携帯電話の通信記録を受信して記憶する通信記録記憶部を備えたことを特徴とする電話局装置。
【請求項１２】
前記通信記録記憶部の通信記録に基づき割引額を算出し、前記複合装置の設置場所にある加入電話の利用料金から前記割引額を減算する電話料金算出部を備えた、請求項１１記載の電話局装置。
【請求項１３】
請求項１０に記載の複合装置へ電力を供給する電力供給装置と、請求項１０に記載の複合装置に通信回線を介して接続される管理装置とを含む電力供給システムであって、前記管理装置が、前記複合装置から送信される携帯電話の通信記録に基づき割引額を算出し、前記複合装置の設置場所へ供給した電力の料金から前記割引額を減算する電力料金算出部を備えたことを特徴とする電力供給システム。
【請求項１４】
請求項１〜１０のいずれか一項に記載の複合装置を含む複数の基地局と、前記基地局と通信回線を介して接続される電話局装置とを有する携帯電話システムであって、
前記電話局装置が、通信成立先として指定された携帯電話との通信を中継する基地局を、前記複数の基地局の中から選択する基地局選択部を備えたことを特徴とする携帯電話システム。
【請求項１５】
前記基地局選択部は、基地局が前記複合装置であるか否かに関わらず、当該携帯電話からの電波を最も良好な状態で受信可能な基地局を選択する、請求項１４記載の携帯電話システム。
【請求項１６】
前記基地局選択部は、当該携帯電話からの電波を受信可能な基地局のうち、複合装置以外の基地局を優先的に選択する、請求項１４記載の携帯電話システム。
【請求項１７】
携帯電話の基地局として機能している複合装置に対して、前記民生用情報処理装置として機能するよう要求する入力があったとき、当該複合装置から前記基地局選択部へ、基地局振替要求が出力され、
前記基地局選択部が、携帯電話との通信を中継する基地局を、当該複合装置以外の基地局へ振り替える、請求項１４〜１６のいずれか一項に記載の携帯電話システム。
【請求項１８】
複合装置が携帯電話の基地局として機能しているとき、当該複合装置の設置場所にある通信機器であって前記通信回線に接続されているものに対して通信要求があったとき、
前記基地局選択部が、携帯電話との通信を中継する基地局を、当該複合装置以外の基地局へ振り替える、請求項１４〜１６のいずれか一項に記載の携帯電話システム。
【請求項１９】
複合装置が携帯電話の基地局として機能しているとき、当該複合装置の設置場所にある通信機器であって前記通信回線に接続されているものに対して使用要求があったとき、当該複合装置から前記基地局選択部へ、基地局振替要求が出力され、
前記基地局選択部が、携帯電話との通信を中継する基地局を、当該複合装置以外の基地局へ振り替える、請求項１４〜１６のいずれか一項に記載の携帯電話システム。
【請求項２０】
デジタルテレビの電波をデジタルテレビのアナログ信号に変換し、携帯電話の電波を携帯電話のアナログ信号に変換し、かつ携帯電話のアナログ信号を携帯電話の電波に変換するアンテナ装置に接続されると共に、電話局と通信回線により接続されるコンピュータを、デジタルテレビ対応画像処理装置としての機能および携帯電話の基地局としての機能を併有する複合装置として機能させるプログラムであって、
前記コンピュータは、
前記デジタルテレビ対応アナログ信号処理部が変換したデジタルテレビのデジタルデータを画像データおよび音声データに変換するプログラムを格納するデジタルテレビ対応プログラム記憶部と、
前記携帯電話基地局対応アナログ信号処理部が変換した携帯電話のデジタル信号を携帯電話の通信情報に変換して前記通信回線へ出力し、かつ前記通信回線から入力した携帯電話の通信情報を携帯電話のデジタルデータに変換して前記携帯電話基地局対応アナログ信号処理部へ出力するプログラムを格納する携帯電話対応プログラム記憶部と、
読み込んだプログラムに従ってデジタルデータを処理するデジタルデータ処理部とを備えており、
前記コンピュータに、
前記アンテナ装置から前記デジタルテレビのアナログ信号を入力し、デジタルテレビのデジタルデータに変換するデジタルテレビ対応アナログ信号処理と、
前記アンテナ装置が変換した携帯電話のアナログ信号を携帯電話のデジタルデータに変換し、かつ携帯電話のデジタルデータを携帯電話のアナログ信号に変換する携帯電話基地局対応アナログ信号処理と、
前記デジタルテレビ対応プログラム記憶部に格納されたプログラム、および携帯電話対応プログラム記憶部に格納されたプログラムのうち、前記デジタルデータ処理部が読み込むべきプログラムを選択する選択処理とを実行させることを特徴とするプログラム。
【請求項２１】
前記選択処理は、前記携帯電話基地局対応アナログ信号処理の出力が有効な値になった場合に、前記携帯電話対応プログラム記憶部に格納されたプログラムを前記データ処理部が読み込むべきプログラムとして選択する、請求項２０記載のプログラム。
【請求項２２】
前記選択処理が、前記デジタルテレビ対応プログラム記憶部に格納されたプログラムと、前記携帯電話対応プログラム記憶部に格納されたプログラムとを、前記デジタルデータ処理部に並列に実行させ得る、請求項２０記載のプログラム。
【請求項２３】
前記選択処理は、前記携帯電話基地局対応アナログ信号処理によって携帯電話のデジタルデータが前記デジタルデータ処理部へ出力された場合、前記通信回線が携帯電話以外の通信機器によって使用されていない場合にのみ、前記携帯電話対応プログラム記憶部に格納されたプログラムを前記デジタルデータ処理部が読み込むべきプログラムとして選択する、請求項２０記載のプログラム。
【請求項２４】
前記選択処理は、前記携帯電話基地局対応アナログ信号処理によって携帯電話のデジタルデータが前記デジタルデータ処理部へ出力された場合、前記デジタルデータ処理部が前記デジタルテレビ対応プログラム記憶部に格納されたプログラムを実行していない場合にのみ、前記携帯電話対応プログラム記憶部に格納されたプログラムを前記デジタルデータ処理部が読み込むべきプログラムとして選択する、請求項２０記載のプログラム。
【請求項２５】
前記デジタルデータ処理部が前記携帯電話対応プログラム記憶部に格納されたプログラムを実行しているときに、前記デジタルテレビ対応プログラム記憶部に格納されたプログラムを実行するよう要求する入力があった場合、前記電話局へ基地局振替要求を出力する、請求項２０記載のプログラム。
【請求項２６】
前記デジタルデータ処理部が前記携帯電話対応プログラム記憶部に格納されたプログラムを実行しているときに、当該複合装置の設置場所にある通信機器であって前記通信回線に接続されているものに対して使用要求があった場合、前記電話局へ基地局振替要求を出力する、請求項２０記載のプログラム。
【請求項２７】
前記コンピュータが、携帯電話の通信記録を記憶する通信記録部を備えており、
前記コンピュータに、前記通信記録部に記憶した通信記録を前記通信回線へ送出する処理を実行させる、請求項２０記載のプログラム。
【請求項２８】
請求項１０に記載の複合装置に通信回線を介して接続され、前記複合装置から送信される携帯電話の通信記録を受信して記憶する通信記録記憶部を備えたコンピュータに、
前記通信記録記憶部の通信記録に基づき割引額を算出し、前記複合装置の設置場所にある加入電話の利用料金から前記割引額を減算する電話料金算出処理を実行させることを特徴とするプログラム。
【請求項２９】
請求項１０に記載の複合装置に通信回線を介して接続されるコンピュータに、
前記複合装置から送信される携帯電話の通信記録に基づき割引額を算出し、前記複合装置の設置場所へ供給した電力の料金から前記割引額を減算する電力料金算出処理を実行させることを特徴とするプログラム。
【請求項３０】
請求項１〜１０のいずれか一項に記載の複合装置を含む複数の基地局と通信回線を介して接続される電話局のコンピュータに、
通信成立先として指定された携帯電話との通信を中継する基地局を、前記複数の基地局の中から選択する基地局選択処理を実行させることを特徴とするプログラム。
【請求項３１】
前記基地局選択処理は、基地局が前記複合装置であるか否かに関わらず、当該携帯電話からの電波を最も良好な状態で受信可能な基地局を選択する処理である、請求項３０記載のプログラム。
【請求項３２】
前記基地局選択処理は、当該携帯電話からの電波を受信可能な基地局のうち、複合装置以外の基地局を優先的に選択する処理である、請求項３０記載のプログラム。
【請求項３３】
携帯電話の基地局として機能している複合装置に対して、前記民生用情報処理装置として機能するよう要求する入力があったことにより、当該複合装置から基地局振替要求を受けたとき、
携帯電話との通信を中継する基地局を、当該複合装置以外の基地局へ振り替える処理を実行させる、請求項３０〜３２のいずれか一項に記載のプログラム。
【請求項３４】
複合装置が携帯電話の基地局として機能しているとき、当該複合装置の設置場所にある通信機器であって前記通信回線に接続されているものに対して通信要求があったとき、
携帯電話との通信を中継する基地局を、当該複合装置以外の基地局へ振り替える処理を実行させる、請求項３０〜３２のいずれか一項に記載のプログラム。
【請求項３５】
複合装置が携帯電話の基地局として機能しているとき、当該複合装置の設置場所にある通信機器であって前記通信回線に接続されているものに対して使用要求があったことにより、当該複合装置から基地局振替要求を受けたとき、
携帯電話との通信を中継する基地局を、当該複合装置以外の基地局へ振り替える処理を実行させる、請求項３０〜３２のいずれか一項に記載のプログラム。
【発明の詳細な説明】
【０００１】
【発明の属する技術分野】
本発明は、携帯電話基地局としての機能を、デジタルテレビ等の民生用情報処理装置に組み込んだ複合装置に関する。
【０００２】
【従来の技術】
近年、携帯電話の普及が目覚しいが、携帯電話の台数が増加するにつれ、携帯電話と電話局とを中継する携帯電話基地局（以下、基地局と称する）の設置数を増加する必要がある。基地局は、図１７に示すように、電波の届く範囲にある携帯電話と送受信を行い、携帯電話の通話情報等を、電話局との間でケーブルを介して送受信する。
【０００３】
【発明が解決しようとする課題】
しかしながら、電話会社にとっては、基地局を設置するためには、言うまでもなく設備投資が必要であり、携帯電話の加入者数が増加するほど設備投資負担が大きくなるという問題がある。
【０００４】
そこで、本発明は、一般家庭等で用いられるデジタルテレビ等の民生用情報処理装置に携帯電話の基地局機能を持たせた複合装置を提供することにより、電話会社の設備投資負担を増大させることなく、携帯電話の基地局の不足を補うことを主な目的とする。
【０００５】
【課題を解決するための手段】
上記の目的を達成するために本発明の複合装置は、電話局と通信する通信回線とアンテナ装置とに接続され、前記アンテナ装置を介して民生用情報処理装置用の電波を受信して処理する第１の機能部と、前記アンテナ装置および通信回線を介して携帯電話の基地局としての処理を行う第２の機能部とを備えたことを特徴とする。
【０００６】
これにより、民生用情報処理装置として購入され一般家庭等に設置される複合装置が、携帯電話の基地局としても機能するので、電話会社の設備投資負担を増大させることなく、携帯電話の基地局の不足を補うことができる。
【０００７】
前記民生用情報処理装置は、デジタルテレビ受像装置またはデジタルテレビ対応画像処理装置であることが好ましい。
【０００８】
また、前記複合装置において、前記アンテナ装置は、デジタルテレビの電波をデジタルテレビのアナログ信号に変換し、携帯電話の電波を携帯電話のアナログ信号に変換し、かつ携帯電話のアナログ信号を携帯電話の電波に変換するものであり、前記アンテナ装置から前記デジタルテレビのアナログ信号を入力し、デジタルテレビのデジタルデータに変換するデジタルテレビ対応アナログ信号処理部と、前記アンテナ装置が変換した携帯電話のアナログ信号を携帯電話のデジタルデータに変換し、かつ携帯電話のデジタルデータを携帯電話のアナログ信号に変換する携帯電話基地局対応アナログ信号処理部と、読み込んだプログラムに従ってデジタルデータを処理するデジタルデータ処理部と、前記デジタルテレビ対応アナログ信号処理部が変換したデジタルテレビのデジタルデータを画像データおよび音声データに変換するプログラムを格納するデジタルテレビ対応プログラム記憶部と、前記携帯電話基地局対応アナログ信号処理部が変換した携帯電話のデジタル信号を携帯電話の通信情報に変換して前記通信回線へ出力し、かつ前記通信回線から入力した携帯電話の通信情報を携帯電話のデジタルデータに変換して前記携帯電話基地局対応アナログ信号処理部へ出力するプログラムを格納する携帯電話対応プログラム記憶部と、前記を備えたことが好ましい。
【０００９】
この構成によれば、デジタルテレビ対応プログラム記憶部に格納されたプログラム、および携帯電話対応プログラム記憶部に格納されたプログラムのうち、いずれのプログラムを前記デジタルデータ処理部が読み込むべきかを選択部が選択することにより、デジタルテレビまたは携帯電話基地局のいずれとして機能すべきかを、容易に制御することができる。
【００１０】
前記複合装置において、前記選択部は、前記携帯電話基地局対応アナログ信号処理部の出力が有効な値になった場合に、前記携帯電話対応プログラム記憶部に格納されたプログラムを、前記データ処理部が読み込むべきプログラムとして選択することが好ましい。
【００１１】
これにより、複合装置は、携帯電話の通信情報を中継することが必要となった場合にのみ携帯電話の基地局として動作し、それ以外の場合はデジタルテレビ等の民生用情報処理装置として動作すればよい。従って、民生用情報処理装置として機能しながら、必要な場合には携帯電話基地局としても機能する複合装置を実現できる。
【００１２】
前記複合装置において、前記デジタルデータ処理部は、前記デジタルテレビ対応プログラム記憶部に格納されたプログラムと、前記携帯電話対応プログラム記憶部に格納されたプログラムとを並列に実行可能であることが好ましい。
【００１３】
例えば、複数のタスクを並列に実行可能なプロセッサによりデジタルデータ処理部を実現すれば、デジタルテレビ対応プログラム記憶部に格納されたプログラムと、携帯電話対応プログラム記憶部に格納されたプログラムとを並列に実行することができる。これにより、デジタルテレビとして動作しながら、同時に携帯電話基地局としても動作する複合装置を実現できる。
【００１４】
前記複合装置において、選択部は、前記携帯電話基地局対応アナログ信号処理部から携帯電話のデジタルデータが前記デジタルデータ処理部へ出力された場合、前記通信回線が携帯電話以外の通信機器によって使用されていない場合にのみ、前記携帯電話対応プログラム記憶部に格納されたプログラムを、前記デジタルデータ処理部が読み込むべきプログラムとして選択することが好ましい。
【００１５】
この構成では、例えば、複合装置を設置した家庭において、複合装置と電話局とを接続する通信回線（例えば電話線）が、当該家庭の加入電話やファクシミリ装置もしくはコンピュータ等の通信機器にも接続されている場合、これらの通信機器が通信回線を使用していないときにのみ、複合装置を携帯電話基地局として動作させることとなる。これにより、複合装置を設置した家庭等において通信回線を使用する他の通信機器に影響を与えることなく、複合装置を携帯電話基地局として機能させることができる。
【００１６】
前記複合装置において、前記選択部は、前記携帯電話基地局対応アナログ信号処理部から携帯電話のデジタルデータが前記デジタルデータ処理部へ出力された場合、前記デジタルデータ処理部が前記デジタルテレビ対応プログラム記憶部に格納されたプログラムを実行していない場合にのみ、前記携帯電話対応プログラム記憶部に格納されたプログラムを前記デジタルデータ処理部が読み込むべきプログラムとして選択することが好ましい。
【００１７】
この構成によれば、複合装置がデジタルテレビとして機能している場合には、当該複合装置は携帯電話基地局としての動作はせず、複合装置の所有者が、当該複合装置をデジタルテレビを使用していないときにのみ、携帯電話の基地局としてこの複合装置を利用できることとなる。これにより、複合装置の所有者の優先的な使用を確保しつつ、複合装置を携帯電話基地局として機能させることができる。
【００１８】
前記複合装置は、携帯電話の通信記録を記憶する通信記録部を備え、記憶した通信記録を前記通信回線へ送出することが好ましい。これにより、通信回線で複合装置と接続される電話局等に、携帯電話の通信記録を転送することができ、通信記録を種々の用途に用いることができる。
【００１９】
また、上記の目的を達成するために、本発明にかかる電話局装置は、この複合装置に、前記通信回線を介して接続される電話局装置であって、複合装置から送信される携帯電話の通信記録を受信して記憶する通信記録記憶部を備えたことを特徴とする。これにより、電話局で、複合装置により中継された携帯電話の通信記録を記憶するので、電話局側でこの通信記録を種々の用途に用いることができる。
【００２０】
前記電話局装置は、前記通信記録記憶部の通信記録に基づき割引額を算出し、前記複合装置の設置場所にある加入電話の利用料金から前記割引額を減算する電話料金算出部を備えたことが好ましい。
【００２１】
この構成によれば、例えば、複合装置を設置した家庭等の加入電話の電話料金に対して、複合装置が携帯電話基地局として機能した時間の長さ等に応じた額の割引が適用されることとなる。これにより、複合装置の所有者にとって、自らの所有物である複合装置を公衆の利用に供する代償として、電話料金の割引という金銭的メリットが得られるという利点がある。さらには、このような金銭的メリットが受けられるということが、複合装置に対する消費者の購買意欲を喚起し、複合装置の普及を促進するという利点もある。
【００２２】
また、上記の目的を達成するために、本発明にかかる電力供給システムは、前記の複合装置へ電力を供給する電力供給装置と、複合装置に通信回線を介して接続される管理装置とを含む電力供給システムであって、前記管理装置が、前記複合装置から送信される携帯電話の通信記録に基づき割引額を算出し、前記複合装置の設置場所へ供給した電力の料金から前記割引額を減算する電力料金算出部を備えたことを特徴とする。
【００２３】
この構成によれば、上記の電話料金と同様に、例えば、複合装置を設置した家庭等の電力料金に対して、複合装置が携帯電話基地局として機能した時間の長さ等に応じた額の割引が適用される。これにより、複合装置の所有者は、複合装置を公衆の利用に供する代償として、電力料金の割引という金銭的メリットが得られる。さらには、このような金銭的メリットが受けられるということが、複合装置に対する消費者の購買意欲を喚起し、複合装置の普及を促進するという利点もある。
【００２４】
また、上記の目的を達成するために、本発明にかかる携帯電話システムは、前記複合装置を含む複数の基地局と、前記基地局と通信回線を介して接続される電話局装置とを有する携帯電話システムであって、前記電話局装置が、通信成立先として指定された携帯電話との通信を中継する基地局を、前記複数の基地局の中から選択する基地局選択部を備えたことを特徴とする。
【００２５】
これにより、電話局装置は、従来の携帯電話基地局の他に、本発明にかかる複合装置も、中継基地局として選択することができる。従って、携帯電話の台数に対して十分な数の基地局を有する携帯電話システムを、電話会社の設備投資を増大させることなく実現することができる。
【００２６】
前記携帯電話システムにおいて、前記基地局選択部は、基地局が前記複合装置であるか否かに関わらず、当該携帯電話からの電波を最も良好な状態で受信可能な基地局を選択することができる。これにより、従来の携帯電話基地局の他に複合装置を含む複数の基地局から、電波受信状態が最も良好な中継基地局を選択できるので、携帯電話利用者に対して常に良好な通信品質を提供できる携帯電話システムを実現することが可能となる。
【００２７】
あるいは、前記携帯電話システムにおいて、前記基地局選択部は、当該携帯電話からの電波を受信可能な基地局のうち、複合装置以外の基地局を優先的に選択してもよい。すなわち、従来の携帯電話基地局を複合装置よりも優先的に選択し、個人所有物である複合装置を補助的に利用することにより、複合装置にあまり大きな負荷をかけずに、必要な場合にのみ基地局の不足を補うことができる。
【００２８】
前記携帯電話システムにおいて、携帯電話の基地局として機能している複合装置に対して、前記民生用情報処理装置として機能するよう要求する入力があったとき、当該複合装置から前記基地局選択部へ、基地局振替要求が出力され、前記基地局選択部が、携帯電話との通信を中継する基地局を、当該複合装置以外の基地局へ振り替えることが好ましい。
【００２９】
この構成によれば、例えば、複合装置が中継基地局として機能しているときに、複合装置の所有者が、当該複合装置をデジタルテレビ等の民生用情報処理装置として使用しようとした場合は、他の基地局（他の複合装置を含む）に、中継基地局としての機能が振り替えられる。これにより、複合装置の所有者による使用を最優先としつつ、複合装置を基地局として機能させることができる。
【００３０】
前記携帯電話システムにおいて、複合装置が携帯電話の基地局として機能しているとき、当該複合装置の設置場所にある通信機器であって前記通信回線に接続されているものに対して通信要求があったとき、前記基地局選択部が、携帯電話との通信を中継する基地局を、当該複合装置以外の基地局へ振り替えることが好ましい。
【００３１】
この構成によれば、例えば、複合装置を設置した家庭において、複合装置と電話局とを接続する通信回線（例えば電話線）が、当該家庭の加入電話やファクシミリ装置もしくはコンピュータ等の通信機器にも接続されている場合、これらの通信機器に対して通信要求があったときは、中継基地局としての機能が他の基地局（他の複合装置を含む）に振り替えられる。これにより、複合装置を設置した家庭等において通信回線を使用する他の通信機器に影響を与えることなく、複合装置を携帯電話基地局として機能させることができる。
【００３２】
前記携帯電話システムにおいて、複合装置が携帯電話の基地局として機能しているとき、当該複合装置の設置場所にある通信機器であって前記通信回線に接続されているものに対して使用要求があったとき、当該複合装置から前記基地局選択部へ基地局振替要求が出力され、前記基地局選択部が、携帯電話との通信を中継する基地局を、当該複合装置以外の基地局へ振り替えることが好ましい。
【００３３】
この構成によれば、例えば、複合装置を設置した家庭等において、複合装置と電話局とを接続する通信回線（例えば電話線）が、当該家庭の加入電話やファクシミリ装置もしくはコンピュータ等の通信機器にも接続されている場合、これらの通信機器を使用しようとしたとき、中継基地局としての機能が、他の基地局（他の複合装置を含む）に振り替えられる。これにより、複合装置を設置した家庭等において通信回線を使用する他の通信機器に影響を与えることなく、複合装置を携帯電話基地局として機能させることができる。
【００３４】
また、本発明にかかるプログラムは、デジタルテレビの電波をデジタルテレビのアナログ信号に変換し、携帯電話の電波を携帯電話のアナログ信号に変換し、かつ携帯電話のアナログ信号を携帯電話の電波に変換するアンテナ装置に接続されると共に、電話局と通信回線により接続されるコンピュータを、デジタルテレビ対応画像処理装置としての機能および携帯電話の基地局としての機能を併有する複合装置として機能させるプログラムであって、前記コンピュータは、前記デジタルテレビ対応アナログ信号処理部が変換したデジタルテレビのデジタルデータを画像データおよび音声データに変換するプログラムを格納するデジタルテレビ対応プログラム記憶部と、前記携帯電話基地局対応アナログ信号処理部が変換した携帯電話のデジタル信号を携帯電話の通信情報に変換して前記通信回線へ出力し、かつ前記通信回線から入力した携帯電話の通信情報を携帯電話のデジタルデータに変換して前記携帯電話基地局対応アナログ信号処理部へ出力するプログラムを格納する携帯電話対応プログラム記憶部と、読み込んだプログラムに従ってデジタルデータを処理するデジタルデータ処理部とを備えており、前記コンピュータに、前記アンテナ装置から前記デジタルテレビのアナログ信号を入力し、デジタルテレビのデジタルデータに変換するデジタルテレビ対応アナログ信号処理と、前記アンテナ装置が変換した携帯電話のアナログ信号を携帯電話のデジタルデータに変換し、かつ携帯電話のデジタルデータを携帯電話のアナログ信号に変換する携帯電話基地局対応アナログ信号処理と、前記デジタルテレビ対応プログラム記憶部に格納されたプログラム、および携帯電話対応プログラム記憶部に格納されたプログラムのうち、前記デジタルデータ処理部が読み込むべきプログラムを選択する選択処理とを実行させることを特徴とする。このプログラムを前記コンピュータに実行させることにより、前述の複合装置をコンピュータで実現することができる。
【００３５】
【発明の実施の形態】
以下、本発明に係る複合装置の実施の形態について、図面を用いて詳細に説明する。
【００３６】
最初に、複合装置の構成について説明する。
【００３７】
図１は、本実施形態にかかる複合装置の内部構成の詳細と、他の機器との接続関係を示した図である。
【００３８】
図１に示すように、複合装置１０は、外見はデジタルテレビ（以下、ＤＴＶと略称する）であり、ＴＶチューナー１００、携帯電話用チューナー１０１、汎用プロセッサ１０２、通話記録部１０３、ディスプレイ１０７、およびスピーカ１０８を備えており、アンテナ１１０に接続して用いられる。
【００３９】
また、複合装置１０は、ケーブル１１２により電話局１１１（実際は電話局の交換機）に接続されており、汎用プロセッサ１０２は、ケーブル１１２を介して、電話局１１１の交換機との間で携帯電話の通話情報を送受信する。なお、通話情報とは、音声データの他、携帯電話で利用される文字データや画像データも含むものとする。また、実際は、汎用プロセッサ１０２とケーブル１１２との間にはモデムなどの通信制御装置が介在するが、これらは周知の構成であるため、その図示を省略する。
【００４０】
なお、複合装置１０を設置した家庭の、一般電話やファクシミリもしくはパーソナルコンピュータ等の通信機器（図示省略）も、ケーブル１１２を介して電話局１１１に接続されている。すなわち、この家庭内の通信機器（複合装置１０を含む）は、ケーブル１１２を共有している。
【００４１】
アンテナ１１０は、ＤＴＶ用の周波数帯域の電波で搬送されるＤＴＶ信号をアナログ信号としてＴＶチューナー１００に出力し、携帯電話用の周波数帯域の電波で搬送される通話情報等をアナログ信号として携帯電話用チューナー１０１へ出力する。また、アンテナ１１０は、携帯電話用チューナー１０１から受け取ったアナログ信号を、携帯電話用の周波数帯域の電波として発信する。
【００４２】
ＴＶチューナー１００は、アンテナ１１０からアナログ信号として入力したＤＴＶ信号をデジタルデータに変換し、汎用プロセッサ１０２へ出力する。携帯電話用チューナー１０１は、携帯電話の通話情報等を、アナログ信号からデジタルデータへ、また、この逆にデジタルデータからアナログ信号へ変換する機能を持つ。すなわち、携帯電話用チューナー１０１は、アンテナ１１０から入力した携帯電話のアナログ信号をデジタルデータに変換して汎用プロセッサ１０２へ出力する一方、汎用プロセッサ１０２から入力した携帯電話のデジタルデータをアナログ信号に変換してアンテナ１１０へ出力する。
【００４３】
汎用プロセッサ１０２は、プログラムに従ってデジタル演算を行なうことにより、複合装置１０のＤＴＶ機能および携帯電話基地局機能を実現する。なお、汎用プロセッサ１０２の動作を制御するプログラムは、ＤＴＶ用プログラム１０２、基地局用プログラム１０５、およびモニタプログラム１０６などである。各プログラムによる動作の詳細については、後述する。
【００４４】
通話記録部１０３は、複合装置１０が携帯電話の基地局として機能した場合、通話先や通話時間等に関する通話記録を記憶する。
【００４５】
ＤＴＶ用プログラム１０４は、ＤＴＶのデジタルデータを、画像データと音声データに変換する処理を汎用プロセッサ１０２に実行させるためのプログラムである。基地局用プログラム１０５は、携帯電話のデジタルデータを入力した場合はこれを通話情報に変換し、通話情報を入力した場合はこれをデジタルデータに変換する処理を、汎用プロセッサ１０２に実行させるものである。また、このプログラムは、複合装置１０が携帯電話基地局として機能した場合、通話記録を生成し記憶させる処理も、汎用プロセッサ１０２に実行させる。モニタプログラム１０６は、汎用プロセッサ１０２に常駐し、入出力の管理を行なわせることで、複合装置１０の制御を行なう。
【００４６】
ディスプレイ１０７は、前記の画像データを動画として表示する。スピーカ１０８は前記の音声データを音声として出力する。これにより、複合装置１０はＤＴＶとして機能する。
【００４７】
図２に、通話記録部１０３に記憶される通話記録のデータ構造を示す。通話記録は、複合装置１０が基地局として機能する毎に、日付、その開始時刻および終了時刻の３要素を単位として、通話記録部１０３に累積記録される。
【００４８】
以下、複合装置１０の動作を説明する。
【００４９】
図３は、モニタプログラム１０６の制御による汎用プロセッサ１０２の動作を示すフローチャートである。
【００５０】
複合装置１０が起動されると、汎用プロセッサ１０２は、モニタプログラム１０６をロードして実行を開始する。
【００５１】
まず、汎用プロセッサ１０２は、複合装置１０の使用者から、ＤＴＶ機能を動作させる入力があるかどうかを判定する（ステップ３１）。ステップ３１の判定結果がｙｅｓの場合は、汎用プロセッサ１０２は、ＤＴＶ機能のタスク生成を行なう（ステップ３０１）。ステップ３０１の処理の詳細は後述する。
【００５２】
次に、汎用プロセッサ１０２は、携帯電話用チューナー１０１から携帯電話のデジタルデータの入力があるかどうかを判定する（ステップ３２）。ステップ３２の判定結果がｙｅｓの場合は、汎用プロセッサ１０２は、携帯電話信号を受信した場合の基地局機能のタスク生成を行なう（ステップ３０２）。ステップ３０２の処理の詳細については後述する。
【００５３】
次に、汎用プロセッサ１０２は、電話局１１１から通話成立のリクエストがあるかどうかを判定する（ステップ３３）。ステップ３３の判定結果がｙｅｓの場合は、汎用プロセッサ１０２は、電話局から通話成立のリクエストがある場合の基地局機能のタスク生成を行なう（ステップ３０３）。ステップ３０３の処理の詳細は後述する。
【００５４】
続いて、汎用プロセッサ１０２は、電話局１１１から、通話記録部１０３のデータを転送するリクエストがあるかどうかを判定する（ステップ３４）。ステップ３４の判定結果がｙｅｓの場合は、汎用プロセッサ１０２は、通話記録部１０３のデータを電話局１１１に転送する（ステップ３５）。
【００５５】
次に、汎用プロセッサ１０２は、複合装置１０の使用者から、一般電話を使用する入力があるかどうかを判定する（ステップ３６）。なお、前述したように、複合装置１０を設置した家庭の一般電話等の通信機器は、複合装置１０と同じく、ケーブル１１２を介して電話局１１１に接続されるようになっており、例えば電話の受話器を取り上げることにより、一般電話がケーブル１１２を使用することを表す信号が複合装置１０へ入力される。この信号を出力するのは、一般電話であってもよいし、ケーブル１１２と家庭内の通信機器（複合装置１０を含む）とを接続するための分岐接続器等であってもよい。
【００５６】
ステップ３６の判定結果がｙｅｓの場合は、汎用プロセッサ１０２は、ステップ３０４の処理を行う。すなわち、すでに基地局機能が動作していたら、電話局１１１に振替リクエストを出し、振替が許可されたら、基地局機能の動作を停止する。これは、後述する図４のフローチャートのステップ４５を省いた処理と同一である。
【００５７】
汎用プロセッサ１０２は、上記のステップ３１〜ステップ３６（ステップ３０４）の処理を繰り返す。
【００５８】
ここで、上述のステップ３０１の処理の詳細を、図４に示す。
【００５９】
（１）まず、すでに汎用プロセッサ１０２が基地局用プログラム１０５を別タスクとして実行しているかどうかを判定する（ステップ４１）。
【００６０】
（２）ステップ４１の判定がｙｅｓの場合、現在通話が成立している通話を他の複合装置で成立させるために、電話局１１１に他の複合装置への振替リクエストを出す（ステップ４２）。
【００６１】
（３）次に、ステップ４２の処理に対して、電話局１１１から振替許可が汎用プロセッサ１０２に入力されたかどうかを判定する（ステップ４３）。
【００６２】
（４）ステップ４３の判定がｙｅｓの場合は、汎用プロセッサ１０２で実行している基地局用プログラム１０５の実行を停止する（ステップ４４）。
【００６３】
（５）ステップ４１の判定がｎｏの場合及びステップ４４の処理を行なった場合のみ、ＤＴＶ用プログラム１０４を別タスクとしてプロセッサ１０２で実行する（ステップ４５）。
【００６４】
また、上述のステップ３０２の処理の詳細は、図５に示したフローチャートに従い、以下のようになる。
【００６５】
（１）まず、ケーブル１１２が、一般電話の通話に使用されているかどうかを判定する（ステップ５１）。
【００６６】
（２）ステップ５２では、汎用プロセッサ１０２がすでにＤＴＶ用プログラムを実行しているかどうかを判定する。
【００６７】
（３）ステップ５３では、電話局１１１から通話成立のリクエストがあるかどうかを判定する。
【００６８】
（４）ステップ５１、５２の判定がｎｏ、ステップ５３の判定がｙｅｓの場合は、基地局用プログラム１０５を、汎用プロセッサ１０２で別タスクとして実行する（ステップ５４）。
【００６９】
また、上述のステップ３０３の処理の詳細は、図６に示したフローチャートに従い、以下のようになる。
【００７０】
（１）最初に、電話局１１１が指定する携帯電話の存在を確認する信号を、携帯電話用チューナー１０１から、アンテナ１１０を介して発信する（ステップ６０）。
【００７１】
（２）次に、汎用プロセッサ１０２は、当該携帯電話から、ステップ６０の信号に対する応答があったかどうかを判定する（ステップ６１）。すなわち、汎用プロセッサ１０２は、携帯電話用チューナー１０１から、当該携帯電話からの応答のデジタルデータの入力があるかどうかを判定する。
【００７２】
（３）ステップ６１の判定がｙｅｓの場合、指定された携帯電話のデジタルデータを受信しており、通話成立が可能であることを電話局１１１に通知する処理を行なう（ステップ６２）。ステップ６１の判定がｎｏの場合、ステップ３０３の処理を終了する。
【００７３】
（４）ステップ６３では、再度電話局１１１から通話成立のリクエストがあるかどうかを判定する。
【００７４】
（５）ステップ６３の判定がｙｅｓの場合、基地局用プログラム１０５を、汎用プロセッサ１０２で別タスクとして実行する（ステップ６４）。ステップ６３の判定がｎｏの場合は、ステップ３０３の処理を終了する。
【００７５】
また、上述の基地局用プログラム１０５の汎用プロセッサ１０２による実行の詳細は、図７に示したフローチャートに従い、以下のようになる。
【００７６】
（１）まず、通話記録部１０３に、図２に示すような通話記録情報を新たに記録するための領域を生成する（ステップ７１）。
【００７７】
（２）次に、生成した通話記録情報領域に、通話の日付とその開始時刻を記録する（ステップ７２）。
【００７８】
（３）携帯電話のデジタルデータの送受信を行う（ステップ７３）。なお、このステップ７３の処理は、携帯電話用チューナー１０１または電話局１１１から通話終了の信号が入力されるまで、すなわちステップ７４の判定がｎｏの間は、繰り返し行う。
【００７９】
（４）通話終了の信号が、携帯電話用チューナー１０１または電話局１１１から入力されると（ステップ７４の判定がｙｅｓ）、ステップ７１で生成した通話記録情報領域へ、通話の終了時刻を記録する（ステップ７５）。
【００８０】
次に、本実施形態にかかる複合装置を基地局として含む携帯電話システムの全体構成について、説明する。
【００８１】
図８に、この携帯電話システムの構成を示す。複合装置８１、８２、８３は、図１に示した複合装置１０と同じものであり、それぞれにアンテナとケーブルが接続されている。携帯電話８４、８５は、公知技術による携帯電話である。複合装置８１、８２、８３は、ケーブル８１１、８２１、８３１により、電話局８６（実際は電話局の交換機）にそれぞれ接続されている。電話局８６には、料金算出部８６１が設けられている。
【００８２】
電力会社８７は、複合装置８１、８２、８３に電力を供給する。ただし、図８では、電力供給のための電線の図示を省略した。電力会社８７は、電話局８６とケーブル８７１で接続されている。また、電力会社８７には、料金算出部８７２が設けられている。携帯電話基地局８８は、公知技術によるものであり、ケーブル８８１により電話局８６と接続されている。
【００８３】
図９に、電話局８６が記録する電話記録情報の例を示す。電話記録情報は、通話に使用されたケーブルの識別番号、通話の日付、通話の開始時刻および終了時刻、並びに相手番号の５要素を単位とする。また、図１０に、電力会社８７が記録する電力供給情報の例を示す。電力供給情報は、電力供給先の家屋の識別番号と、供給電力との２要素を単位とする。
【００８４】
なお、図９では、説明を分かりやすくするために、ケーブルの識別番号として、図８に示したケーブルの参照番号を用いたが、実際の識別番号は、各ケーブルに対して電話会社等が付与した番号が用いられる。また、ケーブルの識別番号の代わりに、加入電話の電話番号を用いてもよい。同様に、図１０の家屋の識別番号については、図８に示した複合装置８１〜８３のそれぞれが設置されている家屋の番号を表す意味で、８１〜８３の番号を例示したが、実際は、電力会社等が各家屋に対して付与した番号が用いられる。
【００８５】
図１１は、電話局８６が携帯電話の通話を成立させる処理を示すフローチャートである。図１１のステップ１１００１、１１００２、１１００３の処理に関しては、その詳細を、図１２、１３、１４にそれぞれ示した。図１５は、電話局８６が電話料金を算出する処理を示すフローチャートである。図１６は、電力会社８７が電力料金を算出する処理を示すフローチャートである。
【００８６】
最初に、本携帯電話システムが、携帯電話の通話を成立させる動作について、図１１〜１４のフローチャートに従って説明する。ただし、複合装置８１、８２、８３は、前述の通り動作するものとし、ここでは、電話局８６の動作を中心に説明する。
【００８７】
電話局８６は、図１１のフローチャートに従う処理を常に実行している。その実行過程は以下のようになる。
【００８８】
（１）ステップ１１０１では、電話局８６は、携帯電話基地局８８から通話成立リクエストの入力があるかどうかを判定する。すなわち、（ａ）携帯電話基地局８８が、自局の圏内にある携帯電話から通話成立リクエストを受信し、（ｂ）携帯電話基地局８８が当該通話成立リクエストにおいて通話先として指定されている携帯電話を探索するため通話成立のリクエストを出力し、（ｃ）ケーブル８８１を介してそのリクエストが電話局８６に入力されている場合に、この判定はｙｅｓとなる。
【００８９】
（２）ステップ１１０１の判定がｙｅｓの場合は、電話局８６は、複合装置８１、８２、８３の中から、前記通話成立リクエストにおいて通話先として指定されている携帯電話と通話できる複合装置を探し、通話を成立させる処理を行なう（ステップ１１００１）。
【００９０】
（３）ステップ１１０２では、電話局８６は、複合装置８１、８２、８３のいずれかから通話成立のリクエストがあるかどうかを判定する。すなわち、（ａ）複合装置８１、８２、８３のいずれかが携帯電話からの通話成立のリクエストを受信し、（ｂ）その複合装置が相手の携帯電話を探索するため通話成立のリクエストを出力し、（ｃ）ケーブル８１１、８２１、８３１のいずれかを介してそのリクエストが電話局８６に入力されている場合に、判定はｙｅｓとなる。
【００９１】
（４）ステップ１１０２の判定がｙｅｓの場合は、電話局８６は、他の複合装置または携帯電話基地局８８の中から、ステップ１１０１の通話リクエストにおいて通話先として指定されている携帯電話と通話できる複合装置または携帯電話基地局８８を探し、通話を成立させる処理を行なう（ステップ１１００２）。
【００９２】
（５）ステップ１１０３では、電話局８６は、複合装置８１、８２、８３のいずれかから振替リクエストの入力があるかどうかを判定する。複合装置による振替リクエストの出力動作については、図４のステップ４２の処理についての説明のとおりであるので、ここでは説明を省略する。
【００９３】
（６）ステップ１１０３の判定がｙｅｓの場合は、電話局８６は、他の複合装置または携帯電話基地局から振替可能な複合装置または携帯電話基地局を探し、通話を成立させる（ステップ１１００２）。
【００９４】
（７）ステップ１１０４の判定では、電話局８６は、ケーブル８１１、８２１、８３１のいずれかを使用する一般電話の通話成立リクエストがあるかどうかを判定する。この通話リクエストは、図８には図示していない一般電話から出力され、電話局８６に入力される。ここでいう一般電話とは、移動体通信を用いない電話であって、複合装置８１、８２、８３と同一家屋内に設置されている加入電話を指す。
【００９５】
（８）ステップ１１０４の判定がｙｅｓの場合は、電話局８６は、さらにステップ１１０５の判定を行なう。ステップ１１０５では、一般電話の通話成立リクエストによって使用されるケーブルに接続されている複合装置が基地局として動作しているかどうかを判定する。
【００９６】
（９）ステップ１１０５の判定がｙｅｓの場合は、電話局８６は、他の複合装置または携帯電話基地局から振替可能な複合装置または携帯電話基地局を探し、通話を成立させる（ステップ１１００３）。
【００９７】
電話局８６は、以上の（１）から（９）の処理を繰り返す。
【００９８】
なお、上述のステップ１１００１の処理の詳細は、図１２に示したフローチャートに従い、以下のようになる。
【００９９】
（１）まず、電話局８６は、通話先の携帯電話を探すために、通話成立のリクエストを、複合装置８１、８２、８３に出力する（ステップ１２０１）。
【０１００】
（２）（１）のリクエストを入力された各複合装置は、通話成立可能かどうかを判定し、通話成立が可能か否かを電話局８６に通知する。この判定と処理は、図３のステップ３３の判定と、ステップ３０３の処理の一部すなわち図６のステップ６０〜６２に相当し、その詳細については既に説明したのでここでは省略する。電話局８６は、ステップ１２０２では、電話局８６へ通話成立が可能である旨の通知をした複合装置のうち、最も通話状況が良い複合装置を選択し、選択した複合装置に、通信成立のリクエストを再度出力する。通信成立のリクエストを再度受けた複合装置は、基地局機能の実行を開始する。この複合装置の処理は、図６のステップ６３と６４の処理に相当し、その詳細については既に説明したのでここでは省略する。従って、ステップ１２０２の処理によって、選択された複合装置は基地局として機能し、携帯電話基地局８８との通話が成立する。
【０１０１】
また、上述のステップ１１００２の処理の詳細は、図１３に示したフローチャートに従い、以下のようになる。
【０１０２】
（１）電話局８６は、まず、通話先の携帯電話を探すために、通話成立のリクエストを携帯電話基地局８８および他の複合装置に出力する（ステップ１３０１）。
【０１０３】
（２）電話局８６は、次に、携帯電話基地局８８から通話成立の入力があるかどうか判定する（ステップ１３０２）。
【０１０４】
（３）ステップ１３０２の判定がｙｅｓの場合は、電話局８６は、複合装置と携帯電話基地局８８との通話を成立させる（ステップ１３０４）。
【０１０５】
（４）ステップ１３０２の判定がｎｏの場合は、電話局８６は、通話成立が可能であるという入力を受けた複合装置のうち、最も通信状況が良い複合装置を選択し、再度選択した複合装置に通話成立のリクエストを出力し、複合装置同士の通話を成立させる（ステップ１３０３）。
【０１０６】
また、上述のステップ１１００３の処理の詳細は、図１４に示したフローチャートに従い、以下のようになる。
【０１０７】
（１）電話局８６は、まず、振替リクエストを出力した複合装置に替わって通話を成立させるため、他の複合装置および携帯電話基地局８８に、通話成立のリクエストを出力する処理を行なう（ステップ１４０１）。
【０１０８】
（２）電話局８６は、次に、ステップ１４０１の処理の出力に対して、携帯電話基地局８８から通話成立の入力があるかどうかを判定する（ステップ１４０２）。
【０１０９】
（３）ステップ１４０２の判定がｙｅｓの場合、電話局８６は、振替リクエストを出力していた複合装置に振替許可を出力する処理を実行する（ステップ１４０３）。続けて、携帯電話基地局８８によって通話を成立させる処理を行なう（ステップ１４０４）。一方、振替リクエストを出力していた複合装置は、ステップ１４０３の処理の出力が入力されると、基地局の機能が停止する。この処理は、図４のステップ４３、４４に相当し、その詳細については既に説明済みであるので、ここでは説明を省略する。
【０１１０】
（４）ステップ１４０２の判定がｎｏの場合は、電話局８６は、ステップ１４０１の処理で通話成立のリクエストを出力した複合装置の中から、通話成立が可能である旨の通知があるかどうかを判定する（ステップ１４０５）。
【０１１１】
（５）ステップ１４０５の判定がｙｅｓの場合は、電話局８６は、通話成立可能の通知があった複合装置のうち、最も通信状態が良い複合装置を選択し、再度通信成立のリクエストを出力する（ステップ１４０６）。このリクエストを受けた複合装置は、通話を成立させる。この複合装置の処理は、図６のステップ６３、６４に相当し、説明済みであるので、ここでは説明を省略する。続けて、電話局８６は、振替リクエストを出力していた複合装置に振替許可を出力する（ステップ１４０７）。振替許可を出力していた複合装置は、この許可を受け、基地局としての動作を停止する。この処理は、図４のステップ４３、４４に相当し、その詳細については既に説明済みであるので、ここでは説明を省略する。
【０１１２】
図１１のステップ１１０１とステップ１１０２との判定の順序関係、および、図１３のステップ１３０２の判定から明らかなように、このシステムでは、携帯電話の通話成立に際し、複合装置８１、８２、８３よりも、携帯電話基地局８８を優先的に基地局として利用する。
【０１１３】
次に、本携帯電話システムが電話料金を算出する動作について、図１５に基づいて説明する。
【０１１４】
電話局８６は、毎月一度だけ料金算出部８６１を起動して、電話料金を算出する。電話料金の算出処理は、図１５に示したフローチャートに従い、その実行過程は以下のようになる。
【０１１５】
（１）料金算出部８６１は、まず、図９に示したような、電話局８６に記録されている電話記録情報を参照し、その通話開始時刻および終了時刻から電話使用時間を算出し、これと相手番号とに基づいて、当月の電話料金をケーブル毎に算出する（ステップ１５０１）。
【０１１６】
（２）次に、料金算出部８６１は、各ケーブルに接続されている複合装置に、通話記録部１０３のデータを転送するよう要求する（ステップ１５０２）。
【０１１７】
（３）続いて、料金算出部８６１は、各複合装置から転送された通話記録に基づいて、当月の複合装置使用料金を算出する（ステップ１５０３）。複合装置から転送される通話記録は、図２に示したように、各複合装置が携帯電話基地局として機能する毎の、その動作の開始時刻および終了時刻を含んでいる。従って、料金算出部８６１は、この通話記録に基づき、当月に各複合装置が携帯電話基地局として機能した時間の合計を求め、求められた時間に応じた料金を、複合装置使用料金として算出する。
【０１１８】
（４）次に、料金算出部８６１は、ステップ１５０１の処理で算出した電話料金から、ステップ１５０３の処理で算出した複合装置使用料金を減算する（ステップ１５０４）。すなわち、複合装置の所有者に対し、複合装置を他人の携帯電話のために使用させる代償としての金銭的メリットを与えるべく、複合装置が携帯電話基地局として機能した時間に応じた金額を、電話料金から割り引く仕組みである。従って、複合装置が携帯電話の基地局として機能した時間が長いほど、電話料金の割引額は大きくなる。
【０１１９】
（５）料金算出部８６１は、すべてのケーブルについて、（１）〜（４）の処理を繰り返す（ステップ１５０５）。
【０１２０】
以上が、本実施形態の携帯電話システムにおいて電話料金を算出する動作の説明であるが、複合装置の所有者に与える金銭的メリットは、電話料金の割引きに限らない。金銭的メリットの他の例として、複合装置の所有者の電力料金を、複合装置が携帯電話基地局として機能した時間に応じて割引く仕組みについて、図１６を参照しながら以下に説明する。
【０１２１】
電力会社８７は、毎月一度だけ、料金算出部８７１を起動して、電力料金を算出する。電力料金の算出処理は、図１６に示したフローチャートに従い、以下のようになる。
【０１２２】
（１）まず、料金算出部８７１は、算出処理の対象として一つの家屋を選択し、図１０に示した電力供給情報に基づいて、当該家屋の当月の電力料金を算出する（ステップ１６０１）。
【０１２３】
（２）料金算出部８７１は、次に、電話局８６に、当該家屋に設置されている複合装置の通話記録を転送するようリクエストする（ステップ１６０２）。
【０１２４】
（３）料金算出部８７１は、電話局８６から転送された通話記録に基づき、前述のステップ１５０３と同様に、当月の複合装置使用料金を算出する（ステップ１６０３）。
【０１２５】
（４）次に、料金算出部８７１は、ステップ１６０１の処理で算出された電力料金から、ステップ１６０３の処理で算出された複合装置使用料金を減算する（ステップ１６０４）。
【０１２６】
（５）料金算出部８７１は、残りの家屋に対して、（１）〜（４）の処理を繰り返す。
【０１２７】
この（１）〜（５）の処理により、複合装置が携帯電話基地局として機能した時間に応じて、当該複合装置が設置されている家屋の電力料金が割り引かれ、複合装置の所有者は、複合装置を携帯電話基地局として他人に利用させることの代償として、金銭的メリットを享受できる。
【０１２８】
なお、電話料金または電力料金の割引による電話会社または電力会社の損失分は、例えば、携帯電話会社が、電話会社または電力会社へ相応の料金を支払うことにより、補填することが考えられる。
【０１２９】
以上のように、本実施形態によれば、デジタルテレビが携帯電話基地局の機能を併有することにより、携帯電話会社にとっては、携帯電話基地局を増設するための設備投資を削減できるという利点がある。一方、複合装置としてのデジタルテレビを購入した消費者は、その家庭の電力料金や加入電話の電話料金について、その複合装置が携帯電話基地局として機能した時間に応じた額の割引を受けられるという金銭的メリットがある。さらに、複合装置としてのデジタルテレビのメーカーにとっては、この金銭的メリットが消費者の購買意欲を喚起し、デジタルテレビの普及が促進されるという利点がある。
【０１３０】
なお、上記した説明では、本発明に係る複合装置及びこの複合装置を基地局として含む携帯電話システムの一実施形態を示したが、本発明はこの実施形態に限られない。
【０１３１】
例えば、複合装置を構成する民生用情報処理装置は、本実施形態ではデジタルテレビを例示したが、デジタルテレビの機能を有するコンピュータや、その他の家電製品であってもよい。
【０１３２】
また、上述の説明では、汎用プロセッサ１０２が、ＤＴＶ用プログラム１０４と基地局用プログラム１０５のいずれかを選択的に実行する例を示したが、汎用プロセッサ１０２が複数のタスクを並列に実行可能なプロセッサである場合は、ＤＴＶ用プログラム１０４と基地局用プログラム１０５とを同時に別タスクとして実行することにより、二つの機能を同時に実現してもよい。その場合、図４のステップ４１、４３の判定、ステップ４２、４４の処理、及び図１１のステップ１１０３の判定とステップ１１００３の処理は、省略できる。
【０１３３】
また、本実施形態では、複合装置の通話記録部１０３に通話記録を記憶し、必要に応じて通話記録を電話局へ転送するものとしたが、複合装置による通話記録を複合装置から逐一電話局へ送信し、電話局が蓄積記録する構成でもよい。また、電話料金や電力料金から、複合装置が基地局として機能した時間に応じた額を割り引く例を示したが、複合装置が基地局として中継した情報量に応じた額を割り引くものとしてもよい。この場合は、開始時刻および終了時刻の代わりに、中継した情報量を通話記録に残すことが必要である。
【０１３４】
さらに、電話局１１１、８６は、電話会社の電話局に限らず、ＣＡＴＶ局やインターネット電話の電話局でもよい。
【０１３５】
さらに、上述の説明では、本発明をハードウェア（複合装置およびこれを含む携帯電話システム）で実施する例を説明したが、本発明はソフトウェア（プログラム）として実施することも可能である。すなわち、図３〜図６に示した処理をコンピュータに実行させるプログラム、図７に示した処理をコンピュータに実行させるプログラム、図１１〜図１４に示した処理をコンピュータに実行させるプログラム、並びに、図１５および図１６のそれぞれに示した処理をコンピュータに実行させるプログラムを、ＣＤ−ＲＯＭ等の任意のプログラム記録媒体に記録したものをコンピュータに読み取らせ、あるいは通信回線を通じてコンピュータにダウンロードし、コンピュータにそれぞれ実行させることにより、本発明の目的を達成することができる。
【０１３６】
【発明の効果】
以上のように、本発明によって、携帯電話基地局とデジタルテレビの機能を併有する複合装置を実現でき、さらにこの複合装置を用いた携帯電話システムを実現できる。すなわち、本発明によって、携帯電話に関する新しい通信基盤が実現され、その実用価値および社会的貢献度は大きい。
【図面の簡単な説明】
【図１】本発明の一実施形態にかかる複合装置の構成を示すブロック図
【図２】複合装置の通話記録部に記憶される通話記録の例を示す説明図
【図３】複合装置におけるモニタプログラムの制御による汎用プロセッサの動作を示すフローチャート
【図４】図３のステップ３０１の処理の詳細を示すフローチャート
【図５】図３のステップ３０２の処理の詳細を示すフローチャート
【図６】図３のステップ３０３の処理の詳細を示すフローチャート
【図７】複合装置における基地局用プログラムの制御による汎用プロセッサの動作を示すフローチャート
【図８】複合装置を含む携帯電話システムの構成を示すブロック図
【図９】複合装置を含む携帯電話システムにおいて電話局が記録する電話記録情報の例を示す説明図
【図１０】電力会社が記録する電力供給情報の例を示す説明図
【図１１】電話局が携帯電話の通話を成立させる処理の手順を示すフローチャート
【図１２】図１１のステップ１１００１の処理の詳細を示すフローチャート
【図１３】図１１のステップ１１００２の処理の詳細を示すフローチャート
【図１４】図１１のステップ１１００３の処理の詳細を示すフローチャート
【図１５】電話局が電話料金を算出する処理を示すフローチャート
【図１６】電力会社が電力料金を算出する処理を示すフローチャート
【図１７】従来の携帯電話システムの構成を示すブロック図
【符号の説明】
１０              複合装置
１００            ＴＶチューナー
１０１            携帯電話用チューナー
１０２            汎用プロセッサ
１０３            通話記録部
１０４            ＤＴＶ用プログラム
１０５            基地局用プログラム
１０６            モニタプログラム
１０７            ディスプレイ
１０８            スピーカー
１１０            アンテナ
１１１            電話局
１１２            ケーブル
８１、８２、８３  複合装置
８４、８５        携帯電話
８６              電話局
８６１            料金算出部
８７              電力会社
８７１            料金算出部
８８              携帯電話基地局
８１１、８２１、８３１、８７１、８８１  ケーブル
【図１】
0003547410.tif 000002
【図２】
0003547410.tif 000003
【図３】
0003547410.tif 000004
【図４】
0003547410.tif 000005
【図５】
0003547410.tif 000006
【図６】
0003547410.tif 000007
【図７】
0003547410.tif 000008
【図８】
0003547410.tif 000009
【図９】
0003547410.tif 000010
【図１０】
0003547410.tif 000011
【図１１】
0003547410.tif 000012
【図１２】
0003547410.tif 000013
【図１３】
0003547410.tif 000014
【図１４】
0003547410.tif 000015
【図１５】
0003547410.tif 000016
【図１６】
0003547410.tif 000017
【図１７】
0003547410.tif 000018